(57)【特許請求の範囲】
【請求項１】
圧電素子から形成される複数個の第１の側壁と、
圧電素子から形成され、前記第１の側壁と交互に形成される複数個の第２の側壁と、
前記第１の側壁と前記第２の側壁との間に形成される駆動圧力室内の底面及び側面に形成される第１の電極と、
前記第１の側壁と前記第２の側壁との間に形成され前記駆動圧力室と交互に形成されるダミー圧力室内の側面に形成される第２の電極と、
前記駆動圧力室と連通し、前記駆動圧力室に導電性のインクを供給する共通液室と、
前記第１の電極に第１の駆動電圧を印加し、前記駆動圧力室から前記インクを吐出する場合には前記駆動圧力室を形成する第１の側壁及び第２の側壁に接する第２の電極に前記第１の駆動電圧の波形に対して少なくとも一部が反転した波形の第２の駆動電圧を印加し、前記駆動圧力室から前記インクを吐出しない場合には前記第２の電極をハイインピーダンスとする制御部と、
を備えるインクジェットヘッド。
【請求項２】
前記第２の駆動電圧の波形は、前記第１の駆動電圧の波形を反転した波形である、
前記請求項１に記載のインクジェットヘッド。
【請求項３】
前記第１の駆動電圧は、前記駆動圧力室の体積を拡張する拡張パルス及び前記駆動圧力室の体積を収縮する収縮パルスから構成される、
前記請求項１又は２に記載のインクジェットヘッド。
【請求項４】
前記導電性のインクは、水性のインクである、
前記請求項１乃至３の何れか１項に記載のインクジェットヘッド。
【請求項５】
前記請求項１乃至４の何れか１項に記載のインクジェットヘッドと、
前記インクによって画像を形成される印刷媒体を搬送する搬送部と、
を備えるインクジェットプリンタ。
【発明の詳細な説明】
【技術分野】
【０００１】
本発明の実施形態は、インクジェットヘッド及びインクジェットプリンタに関する。
【背景技術】
【０００２】
インクジェットヘッドには、圧力室内の電極に導電性のインクが直接接触する構造を有するものがある。電極にインクが直接接触するインクジェットヘッドでは、電極に印加された電圧によって、インクが電気分解することがある。インクが電気分解すると、気泡が発生することがある。
【先行技術文献】
【特許文献】
【０００３】
【特許文献１】特開２０１４−１７２２１３号公報
【発明の概要】
【発明が解決しようとする課題】
【０００４】
上記の課題を解決するために、導電性のインクの電気分解を防止するインクジェットヘッド及びインクジェットプリンタを提供する。
【課題を解決するための手段】
【０００５】
実施形態によれば、インクジェットヘッドは、複数個の第１の側壁と、複数個の第２の側壁と、第１の電極と、第２の電極と、共通液室と、制御部と、を備える。複数個の第１の側壁は、圧電素子から形成される。複数個の第２の側壁は、圧電素子から形成され、前記第１の側壁と交互に形成される。第１の電極は、前記第１の側壁と前記第２の側壁との間に形成される駆動圧力室内の底面及び側面に形成される。第２の電極は、前記第１の側壁と前記第２の側壁との間に形成され前記駆動圧力室と交互に形成されるダミー圧力室内の側面に形成される。共通液室は、前記駆動圧力室と連通し、前記駆動圧力室に導電性のインクを供給する。制御部は、前記第１の電極に第１の駆動電圧を印加し、前記駆動圧力室から前記インクを吐出する場合には前記駆動圧力室を形成する第１の側壁及び第２の側壁に接する第２の電極に前記第１の駆動電圧の波形に対して少なくとも一部が反転した波形の第２の駆動電圧を印加し、前記駆動圧力室から前記インクを吐出しない場合には前記第２の電極をハイインピーダンスとする。
【図面の簡単な説明】
【０００６】
【図１】図１は、実施形態に係るインクジェットプリンタの構成例を示す図である。
【図２】図２は、実施形態に係るインクジェットヘッドの断面図の例を示す図である。
【図３】図３は、実施形態に係るインクジェットヘッドの制御部の構成例を示す図である。
【図４】図４は、実施形態に係る電極に印加される電圧波形の例を示す図である。
【図５】図５は、実施形態に係る圧電素子に印加される電圧波形の例を示す図である。
【図６】図６は、実施形態に係る電極に印加される電圧波形の例を示す図である。
【図７】図７は、実施形態に係る圧電素子に印加される電圧波形の例を示す図である。
【図８】図８は、実施形態に係るインクジェットヘッドの動作例を示す断面図である。
【図９】図９は、実施形態に係るインクジェットヘッドの動作例を示す断面図である。
【発明を実施するための形態】
【０００７】
以下、実施形態について、図面を参照して説明する。  
実施形態に係るインクジェットプリンタは、インクカートリッジに格納されるインクを印刷媒体（たとえば、用紙）に吐出して、印刷媒体に画像を形成する。インクジェットプリンタは、インクジェットヘッド内において圧力室を形成する圧電素子に電圧を印加し、圧力室からインクを吐出させる。
【０００８】
図１は、インクジェットプリンタ１の構成例を示す図である。  
インクジェットプリンタ１は、複数のインクジェットヘッドユニット１０と、複数のインクジェットヘッドユニット１０にそれぞれ対応するインクカートリッジとを備える。また、インクジェットプリンタ１は、複数のインクジェットヘッドユニット１０を移動可能に支持するヘッド支持部４０と、印刷媒体Ｓを移動可能に支持する印刷媒体移動部７０と、メンテナンスユニット９０と、を備える。
【０００９】
インクジェットヘッドユニット１０は、液体吐出部であるインクジェットヘッド３００と、インクを循環させるインク循環装置１００とを備える。
【００１０】
各色のインクカートリッジは、チューブを介して対応するインクジェットヘッドユニット１０のインク循環装置１００にそれぞれ連通する。各インクカートリッジは、導電性のインクを各インクジェットヘッドユニット１０に供給する。導電性のインクは、たとえば、水性のインク、又は、カーボンなどの導電体を含むインクである。
【００１１】
ヘッド支持部４０は、インクジェットヘッドユニット１０を所定の位置に搬送し固定する。たとえば、ヘッド支持部４０は、キャリッジ４１と搬送ベルト４２とキャリッジモータ４３とを備える。キャリッジ４１は、複数のインクジェットヘッドユニット１０を支持する。搬送ベルト４２は、キャリッジ４１を矢印Ａ方向に往復移動させる。キャリッジモータ４３は、搬送ベルトを駆動する。
【００１２】
印刷媒体移動部７０（搬送部）は、印刷媒体Ｓを吸着固定するテーブル７１を備える。テーブル７１は、スライドレール装置７２の上部に取り付けられて矢印Ａ及び矢印Ｂと直交する方向（図１の面に直交する方向）に往復移動する。即ち、印刷媒体移動部７０は、テーブル７１をキャリッジ４１と直交する方向に往復移動する。
【００１３】
メンテナンスユニット９０は、複数のインクジェットヘッドユニット１０の矢印Ａ方向の走査範囲であって、テーブル７１の移動範囲より外側の位置に配置される。メンテナンスユニット９０は、上方が開放したケース体であって、上下方向（図１矢印Ｂ及びＣ方向）に移動可能に設けられる。
【００１４】
メンテナンスユニット９０は、ゴム製のブレード９１と廃インク受け部９２とを備える。ブレード９１は、各色のインクジェットヘッドユニット１０のインクジェットヘッド３００のノズルプレートに付着したインク、ほこり又は紙粉などを除去する。廃インク受け部９２は、ブレード９１で除去したインク、ほこり又は紙粉などを受ける。メンテナンスユニット９０は、ブレード９１を矢印Ａ及び矢印Ｂと直交する方向へ移動させる機構を備える。ブレード９１はノズルプレートの表面を払拭する。
【００１５】
次に、インクジェットヘッド３００について説明する。  
図２は、インクジェットヘッド３００の断面図の例を示す。
【００１６】
インクジェットヘッド３００は、エンドシュータ型のシェアモード型インクジェットヘッドである。なお、インクジェットヘッド３００は、エンドシュータ型のシェアモード型インクジェットヘッドに限らない。インクジェットヘッド３００は、印刷媒体移動部７０によって供給された印刷媒体Ｓにインクを吐出する。
【００１７】
インクジェットヘッド３００は、基部８と、圧電部材１１と、天板１４と、トッププレート１６と、ノズルプレート１７と、後述する制御部４００とを有する。インクジェットヘッド３００はさらに、例えば、カバー、及び、インクカートリッジに接続されるチューブなどを備える。
【００１８】
基部８は、矩形の板材である。インクジェットヘッド３００の底面を形成する。  
圧電部材１１は、基部８上に形成される。圧電部材１１は、第１の圧電素子１２及び第２の圧電素子１３を貼り合わせて構成される。第１の圧電素子１２及び第２の圧電素子１３は、矩形の板状の部材である。第１の圧電素子１２及び第２の圧電素子１３は、例えばチタン酸ジルコン酸鉛（ＰＺＴ）から構成される。第１の圧電素子１２と第２の圧電素子１３との分極方向は、厚さ方向に互いに逆向きである。
【００１９】
圧電部材１１は、複数の側壁２１（第１の側壁）及び複数の側壁２２（第２の側壁）を形成する。側壁２１及び側壁２２の下部は、第１の圧電素子１２から形成される。側壁２１及び側壁２２の上部は第２の圧電素子１３から形成される。側壁２１と側壁２２とは、図２の面に直交する方向に伸びる構造を有する。側壁２１と側壁２２とは、両側壁が並ぶ方向に交互に形成される。
【００２０】
側壁２１と側壁２２とは、駆動圧力室３及びダミー圧力室４を形成する。駆動圧力室３及びダミー圧力室４は、両側壁が並ぶ方向に交互に形成される。図２が示すように、ダミー圧力室４ａは、左端と側壁２１ａとの間に形成される。駆動圧力室３ａは、側壁２１ａと側壁２２ａとの間に形成される。同様に、ダミー圧力室４ｂは、側壁２２ａと側壁２１ｂとの間に形成される。駆動圧力室３ｂは、側壁２１ｂと側壁２２ｂとの間に形成される。ダミー圧力室４ｃは、側壁２２ｂと側壁２１ｃとの間に形成される。駆動圧力室３ｃは、側壁２１ｃと側壁２２ｃとの間に形成される。
【００２１】
圧電部材１１の上面１１ａ（側壁２１及び側壁２２の上面）には、トッププレート１６が形成される。トッププレート１６は、矩形状に形成され、圧電部材１１の少なくとも一部を覆う。  
トッププレート１６は、複数の開口部３５を備える。各開口部３５は、駆動圧力室３に連通する。即ち、各開口部３５は、各駆動圧力室３上に形成される。
【００２２】
トッププレート１６の上部には、天板１４が形成される。天板１４は、矩形状に形成され、トッププレート１６の少なくとも一部を覆う。  
天板１４とトッププレート１６とは、互いの間に流路１５（共通液室）を形成する。流路１５は、複数の開口部３５上に形成される。流路１５は、インクカートリッジに連通する。流路１５内には、インクカートリッジから供給されるインクが流入する。また、流路１５に流入するインクは、トッププレート１６の各開口部３５を通じて各駆動圧力室３内に流入する。即ち、各駆動圧力室３は、流路１５に連通し、インクで満たされる。なお、各ダミー圧力室４は、それぞれ独立した空間であり、空気で満たされる。
【００２３】
ノズルプレート１７は、圧電部材１１の前面１１ｂ（側壁２１及び側壁２２が伸びる方向の端面）に形成される。ノズルプレート１７は、複数の開口部９を備える。各開口部９は、駆動圧力室３に連通する。
【００２４】
駆動圧力室３内の側面及び底面には、電極５（第１の電極）が形成される。電極５は、駆動圧力室３内の両側面及び底面を覆う。
【００２５】
ダミー圧力室４内の各側面には、互いに独立した電極６及び電極７が形成される。電極６（第２の電極）は、ダミー圧力室４内の第１の側面を覆う。電極７（第２の電極）は、ダミー圧力室４内の第１の側面に対向する第２の側面を覆う。
【００２６】
ここでは、ダミー圧力室４ａの電極７ａは、駆動圧力室３ａを形成する側壁２１ａに接する。ダミー圧力室４ｂの電極６ｂは、駆動圧力室３ａを形成する側壁２２ａに接する。ダミー圧力室４ｂの電極７ｂは、駆動圧力室３ｂを形成する側壁２１ｂに接する。ダミー圧力室４ｃの電極６ｃは、駆動圧力室３ｂを形成する側壁２２ｂに接する。ダミー圧力室４ｃの電極７ｃは、駆動圧力室３ｃを形成する側壁２１ｃに接する。
【００２７】
次に、制御部４００について説明する。  
制御部４００は、外部から供給される印刷データに基づいて、電極５乃至７に電圧を印加する。駆動圧力室３を形成する側壁２１及び側壁２２は、制御部４００からの電圧により駆動する。制御部４００は、電極５乃至７に印加する電圧を制御することにより駆動圧力室３から開口部９を通じてインクを吐出させる。
【００２８】
図３は、制御部４００の構成例を示すブロック図である。
【００２９】
図３が示すように、制御部４００は、パターンジェネレータ４０１、ロジック回路４０２、バッファ回路４０３、及びスイッチ回路４０４などを備える。
【００３０】
パターンジェネレータ４０１は、インクを吐出させる駆動電圧の波形パターンを生成する。波形パターンは、拡張パルスパターンと、収縮パルスパターンと、休止時間とからなる。拡張パルスパターンは、駆動圧力室３の容積を所定時間膨張させる拡張パルス（または吐出パルス）を形成する。収縮パルスパターンは、駆動圧力室３の容積を所定時間収縮させる収縮パルス（またはダンピングパルス）を形成する。休止時間は、拡張パルスと収縮パルスとの間の時間である。拡張パルスパターンと収縮パルスパターンとは、極性が逆である。拡張パルスパターンの時間と休止時間と収縮パルスパターンの時間との和が、１ドロップのインク滴を吐出させるための区間、いわゆる１ドロップ周期となる。
【００３１】
ロジック回路４０２は、バスラインから入力される印刷データとパターンジェネレータ４０１で生成される波形パターンとに基づいて、各電極（電極５ａ…、電極６ａ…、及び電極７ａ…）の駆動電圧パターンを生成する。ロジック回路４０２は、各電極の駆動電圧パターンをバッファ回路４０３に出力する。
【００３２】
バッファ回路４０３は、ロジック回路４０２が出力する駆動電圧パターンをバッファする。バッファ回路４０３は、バッファした駆動電圧パターンをスイッチ回路４０４に出力する。
【００３３】
スイッチ回路４０４は、バッファ回路４０３から出力される各電極の駆動電圧パターンに応じて、各電極に印加される駆動電圧を出力する。
【００３４】
スイッチ回路４０４は、各電極に対応する複数個のトランジスタを備える。スイッチ回路４０４は、各電極に対応するトランジスタとして、ＰＭＯＳトランジスタと、ＮＭＯＳトランジスタと、ＮＭＯＳトランジスタとを備える。ＰＭＯＳトランジスタは、電極と電圧Ｖとを接続する。ＮＭＯＳトランジスタは、電極とＧＮＤを接続する。ＮＭＯＳトランジスタは、電極と電圧−Ｖを接続する。
【００３５】
電極と電圧Ｖとを接続するＰＭＯＳトランジスタは、ソースを電圧Ｖに接続し、ドレインを電極に接続し、ゲートをバッファ回路４０３に接続し、バックゲートを電圧ＶＣＣに接続する。駆動電圧パターンが電圧−Ｖとなれば、当該ＰＭＯＳトランジスタがオンし、電極は電圧Ｖとなる。また、駆動電圧パターンが電圧ＶＣＣとなれば、当該ＰＭＯＳトランジスタがオフし、電極は、ハイインピーダンスとなる。
【００３６】
電極とＧＮＤとを接続するＮＭＯＳトランジスタは、ソースをＧＮＤに接続し、ドレインを電極に接続し、ゲートをバッファ回路４０３に接続し、バックゲートを負電圧−Ｖに接続する。駆動電圧パターンが電圧ＶＣＣとなれば、ＮＭＯＳトランジスタがオンし、電極は、ＧＮＤとなる。また、駆動電圧パターンが電圧−Ｖとなれば、ＮＭＯＳトランジスタがオフし、電極は、ハイインピーダンスとなる。
【００３７】
電極と負電圧−Ｖとを接続するＮＭＯＳトランジスタは、ソースを電圧−Ｖに接続し、ドレインを電極に接続し、ゲートをバッファ回路４０３に接続し、バックゲートを電圧−Ｖに接続する。駆動電圧パターンが電圧ＶＣＣとなれば、ＮＭＯＳトランジスタがオンし、電極は、の電圧−Ｖとなる。また、駆動電圧パターンが電圧−Ｖとなれば、ＮＭＯＳトランジスタがオフし、電極は、ハイインピーダンスとなる。
【００３８】
スイッチ回路４０４は、３つのトランジスタを同時にオンしないように制御し、どれか一つがオンするか、又は、いずれもオフするかに制御する。
【００３９】
次に、所定の駆動圧力室３がインクを吐出する場合において各電極に印加される電圧について説明する。  
図４は、所定の駆動圧力室３がインクを吐出する場合において各電極に印加される駆動電圧の例を示す。図４は、駆動圧力室３の電極５に印加される駆動電圧、及び、駆動圧力室３に隣接するダミー圧力室４の電極６及び７に印加される駆動電圧を示す。
【００４０】
図４（ａ）は、駆動圧力室３（たとえば、駆動圧力室３ｂ）を形成する側壁２１（たとえば、側壁２１ｂ）に接する電極７（たとえば、電極７ｂ）に印加される駆動電圧の波形を示す。図４（ｂ）は、駆動圧力室３の電極５に印加される駆動電圧の波形を示す。図４（ｃ）は、駆動圧力室３（たとえば、駆動圧力室３ｂ）を形成する側壁２２（たとえば、側壁２２ｂ）に接する電極６（たとえば、電極６ｃ）に印加される駆動電圧の波形を示す。
【００４１】
制御部４００は、駆動圧力室３に隣接する電極６及び７に、図４（ａ）及び（ｃ）が示す波形の駆動電圧（第２の駆動電圧）を印加する。第２の駆動電圧を印加する場合、制御部４００は、まず、拡張パルスを印加する。第２の駆動電圧における拡張パルスは、高さが電圧Ｖで、幅が所定の拡張時間のパルスである。制御部４００は、拡張パルスを印加した後、電圧を０（ＧＮＤ）とする。制御部４００は、電圧を０とする休止時間が経過した後に、収縮パルスを印加する。第２の駆動電圧における収縮パルスは、高さが電圧−Ｖで、幅が所定の収縮時間のパルスである。
【００４２】
制御部４００は、駆動圧力室３の電極５に、図４（ｂ）が示す波形の駆動電圧（第１の駆動電圧）を印加する。第１の駆動電圧を印加する場合、制御部４００は、まず、拡張パルスとして電圧−Ｖを印加する。第１の駆動電圧における拡張パルスは、高さが電圧−Ｖで、幅が所定の拡張時間のパルスである。制御部４００は、拡張パルスを印加した後、電圧を０（ＧＮＤ）とする。制御部４００は、電圧を０とする時間（休止時間）が経過した後に、収縮パルスを印加する。第１の駆動電圧における収縮パルスは、高さが電圧Ｖで、幅が所定の収縮時間のパルスである。
【００４３】
図４（ｂ）に示す第１の駆動電圧の波形は、図４（ａ）及び図４（ｃ）に示す第２の駆動電圧の波形を反転させたものとなる。従って、制御部４００は、駆動圧力室３の電極５に印加される第１の駆動電圧の波形を反転させた波形の第２の駆動電圧を隣接する電極６及び７に印加する。なお、第２の駆動電圧の波形は、第１の駆動電圧の波形の一部を反転させたものであってもよい。また、第２の駆動電圧における拡張パルス及び収縮パルスの高さ（電圧の大きさ）は、第１の駆動電圧における拡張パルス及び収縮パルスの高さ（電圧の大きさ）と同じでもよいし、異なってもよい。
【００４４】
次に、駆動圧力室３を形成する側壁２１及び側壁２２に印加される電圧について説明する。  
図５（ａ）及び図５（ｂ）は、側壁２１及び側壁２２に印加される電圧の例を示す。
【００４５】
図５（ａ）は、駆動圧力室３（たとえば、駆動圧力室３ｂ）を形成する側壁２１（たとえば、側壁２１ｂ）に印加される電圧の例を示す。図５（ｂ）は、駆動圧力室３（たとえば、駆動圧力室３ｂ）を形成する側壁２２（たとえば、側壁２２ｂ）に印加される電圧の例を示す。  
側壁２１及び側壁２２に印加される電圧は、電極５と電極７及び電極６との差分となる。
【００４６】
図５（ａ）が示すように、側壁２１には、高さが電圧Ｅ（電圧Ｖの２倍の電圧）となる拡張パルスが印加される。拡張パルスが印加された後、電圧は、０となる。電圧が０となる休止時間が経過した後、側壁２１には、高さが電圧−Ｅとなる収縮パルスが印加される。
【００４７】
図５（ｂ）が示すように、側壁２２には、高さが電圧−Ｅとなる拡張パルスが印加される。拡張パルスが印加された後、電圧は、０となる。電圧が０となる休止時間が経過した後、側壁２２には、高さが電圧Ｅとなる収縮パルスが印加される。
【００４８】
次に、所定の駆動圧力室３がインクを吐出しない場合において各電極に印加される電圧について説明する。  
図６は、所定の駆動圧力室３がインクを吐出しない場合において各電極に印加される電圧の例を示す。図６は、駆動圧力室３の電極５に印加される電圧、及び、駆動圧力室３に隣接するダミー圧力室４の電極６及び７に印加される電圧を示す。
【００４９】
図６（ａ）は、駆動圧力室３（たとえば、駆動圧力室３ｂ）を形成する側壁２１（たとえば、側壁２１ｂ）に接する電極７（たとえば、電極７ｂ）に印加される電圧を示す。図６（ｂ）は、駆動圧力室３の電極５に印加される電圧を示す。図６（ｃ）は、駆動圧力室３（たとえば、駆動圧力室３ｂ）を形成する側壁２２（たとえば、側壁２２ｂ）に接する電極６（たとえば、電極６ｃ）に印加される電圧を示す。
【００５０】
図６（ａ）及び（ｃ）が示すように、制御部４００は、駆動圧力室３に隣接する電極６及び７をハイインピーダンスにする。  
図６（ｂ）が示すように、制御部４００は、駆動圧力室３がインクを吐出する場合と同一の電圧を駆動圧力室３の電極５に印加する。即ち、制御部４００は、駆動圧力室３の電極５に、電圧−Ｖを印加する。制御部４００は、所定の時間、電圧−Ｖを印加すると、電圧を０（ＧＮＤ）とする。制御部４００は、休止時間経過後に、電圧Ｖを印加する。
【００５１】
次に、駆動圧力室３を形成する側壁２１及び側壁２２に印加される電圧について説明する。  
図７（ａ）及び図７（ｂ）は、側壁２１及び側壁２２に印加される電圧の例を示す。  
図７（ａ）は、駆動圧力室３（たとえば、駆動圧力室３ｂ）を形成する側壁２１（たとえば、側壁２１ｂ）に印加される電圧の例を示す。図７（ｂ）は、駆動圧力室３（たとえば、駆動圧力室３ｂ）を形成する側壁２２（たとえば、側壁２２ｂ）に印加される電圧の例を示す。  
隣接する電極６及び電極７がハイインピーダンスであるため、図７が示すように、側壁２１及び側壁２２に印加される電圧は、０である。
【００５２】
次に、インクジェットヘッド３００の動作例について説明する。  
図８は、駆動圧力室３の体積が拡張している場合におけるインクジェットヘッド３００の断面図の例を示す。即ち、図８は、各電極に拡張パルスが印加される場合における断面図を示す。
【００５３】
ここでは、駆動圧力室３ｂの体積が拡張しているものとする。
【００５４】
図８が示すように、側壁２１ｂ及び側壁２２ｂは、駆動圧力室３ｂの体積が拡張する方向（外側に広がる方向）に折れ曲がる。その結果、駆動圧力室３ｂの体積は、増大する。
【００５５】
また、駆動圧力室３ｂの電極５ｂには、電圧−Ｖが印加される。体積が拡張しない（即ち、インクを吐出しない）駆動圧力室３（たとえば、駆動圧力室３ａ及び駆動圧力室３ｃ）の電極５（たとえば、電極５ａ及び電極５ｃ）にも同様に電圧−Ｖが印加される。
【００５６】
従って、体積が拡張する駆動圧力室３の電極５と、体積が拡張しない駆動圧力室３の電極５とは、同一の電圧（−Ｖ）を印加される。
【００５７】
図９は、駆動圧力室３の体積が収縮している場合におけるインクジェットヘッド３００の断面図の例を示す。即ち、図９は、各電極に収縮パルスが印加される場合における断面図を示す。
【００５８】
ここでは、駆動圧力室３ｂの体積が収縮しているものとする。
【００５９】
図９が示すように、側壁２１ｂ及び側壁２２ｂは、駆動圧力室３ｂの体積が収縮する方向（内側に凹む方向）に折れ曲がる。側壁２１ｂ及び側壁２２ｂが内側に凹むと、駆動圧力室３ｂの体積は、低下する。
【００６０】
また、駆動圧力室３ｂの電極５ｂには、電圧Ｖが印加される。体積が収縮しない（即ち、インクを吐出しない）駆動圧力室３（たとえば、駆動圧力室３ａ及び駆動圧力室３ｃ）の電極５（たとえば、電極５ａ及び電極５ｃ）にも同様に電圧Ｖが印加される。
【００６１】
従って、体積が収縮する駆動圧力室３の電極５と、体積が収縮しない駆動圧力室３の電極５とは、同一の電圧（Ｖ）を印加される。
【００６２】
なお、休止時間においては、インクを吐出する駆動圧力室３の電極５と、インクを吐出しない駆動圧力室３の電極５とは、いずれもＧＮＤである。
【００６３】
以上のように構成されたインクジェットヘッドは、インクを吐出する駆動圧力室の電極と、インクを吐出しない駆動圧力室の電極とに、同一の電圧を印加する。その結果、インクに接触する電極間に電位差が生じず、インクの電気分解を防止することができる。
【００６４】
また、インクジェットヘッドは、ダミー圧力室の電極に、駆動圧力室の電極に印加される電圧を反転した電圧を印加する。その結果、インクジェットヘッドは、各電極に印加する電圧の倍の電圧を側壁に印加することができる。従って、インクジェットヘッドは、電極に印加する電圧を低くすることができる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…インクジェットプリンタ、３…駆動圧力室、４…ダミー圧力室、５…電極、６…電極、７…電極、８…基部、９…開口部、１０…インクジェットヘッドユニット、１１…圧電部材、１２…第１の圧電素子、１３…第２の圧電素子、１４…天板、１５…流路、１６…トッププレート、１７…ノズルプレート、２１…側壁、２２…側壁、３５…開口部、４０…ヘッド支持部、４１…キャリッジ、４２…搬送ベルト、４３…キャリッジモータ、７０…印刷媒体移動部、７１…テーブル、９０…メンテナンスユニット、９１…ブレード、３００…インクジェットヘッド、４００…制御部、４０１…パターンジェネレータ、４０２…ロジック回路、４０３…バッファ回路、４０４…スイッチ回路。
【図１】
0006598696.tif 000002
【図２】
0006598696.tif 000003
【図３】
0006598696.tif 000004
【図４】
0006598696.tif 000005
【図５】
0006598696.tif 000006
【図６】
0006598696.tif 000007
【図７】
0006598696.tif 000008
【図８】
0006598696.tif 000009
【図９】
0006598696.tif 000010